(57)【要約】計量チャンバー付き弁付き計量容器および詰替用貯蔵チャンバーを提供する。フラスコ（１）は、３つの独立した部分である容器（２）と、リング状セグメント（３）と、チャンバー（４）と、からなり、それらが接続されてフラスコ（１）が形成されるときは、上方にある計量および混合チャンバー（４）は、下部に集合管（７）を有する液体用の一方向バルブをその中央に備えると共に、一方向空気弁（１３）を備えるバルブ付きリング状セグメント（３）にねじ込まれ、そのリング状セグメント（３）は、その下部に取外しおよび交換可能な容器（２）を受け入れ、前記容器（２）は、弾力的または半弾力的な壁を有し、リング状セグメント（３）の空気弁（１３）と通じていることを特徴とする。
2007536171.tif 000002
【特許請求の範囲】
【請求項１】
フラスコ（１）は、３つの独立した部分である容器（２）と、リング状セグメント（３）と、チャンバー（４）と、からなり、
それらが接続されてフラスコ（１）が形成されるときは、上方にある計量および混合チャンバー（４）は、下部に集合管（７）を有する液体用の一方向弁（６）をその中央に備えると共に一方向空気弁（１３）を備えるバルブ付きリング状セグメント（３）にねじ込まれ、そのリング状セグメント（３）は、その下部に取外しおよび交換可能な容器（２）を受け入れ、
前記容器（２）は、弾力的または半弾力的な壁を有し、前記リング状セグメント（３）の一方向空気弁（１３）と通じていることを特徴とする計量チャンバーと詰替貯蔵チャンバーを有する弁付き計量容器。
【請求項２】
前記チャンバー（４）は、前記液体用の一方向弁（６）を通すための円形開口部（２６）を有する筒状胴体（１５）の壁の下端から始まる下部仕切り壁（２５）を有する筒状胴体（１５）からなり、前記筒状胴体（１５）の壁の下端は前記リング状セグメント（３）を接続するためのねじ付きフランジ（１６）が設けられ、前記チャンバーの上端は閉じ蓋を取付けるための排出開口部を有する仕切り壁（１７）でできていることを特徴とする請求項１に記載の弁付き計量容器。
【請求項３】
前記リング状セグメント（３）は上部フランジ（２７）を備え、
前記上部フランジ（２７）は、下部にフレキシブル集合管（７）を有する前記一方向弁（６）を収容するのに十分な大きさの中央円筒形状部分（９）の上部境界である中央円形開口部（５）を含む、上面（８）と、拡がった直径の円筒形状延長部分（１０）の円形開口部を区切り、前記中央円筒形状部分（９）の下方に位置する下面（１１）と、を有し、
前記円筒形状延長部分（１０）は、前記一方向空気弁（１３）が設けられている部分と連通させるために前記リング状セグメント（３）に取り付けられた水平導管から空気を導くための開口部を有することを特徴とする請求項１に記載の弁付き計量容器。
【請求項４】
前記リング状セグメント（３）の拡がった直径の円筒形状延長部分（１０）はフランジであることを特徴とする請求項３に記載の弁付き計量容器。
【請求項５】
前記容器（２）は、前記リング状セグメント（３）の前記円筒形状延長部分（１０）と接続するために上部にねじ付き瓶首（２１）を有し、前記瓶首（２１）は前記容器（２）の外面に印で示された前記リング状セグメント（３）の前記一方向空気弁（１３）の穴（１２）と接続する側面開口部（１４）を有することを特徴とする請求項１、３または４に記載の弁付き計量容器。
【請求項６】
前記容器（２）は、その上部に設けられたねじ付き延長部分（２３）によって包装用小袋（１９）を保持するカップ形状を、前記液体用一方向弁（６）は内蔵された剛性材料でできた集合管（２０）を、前記リング状セグメント（３）はその下端にねじ付き延長部分（２４）をそれぞれ有することを特徴とする請求項１または３に記載の弁付き計量容器。
【請求項７】
前記チャンバー（４）は透明で製品の量を示す外部メモリを有することを特徴とする請求項１に記載の弁付き計量容器。
【発明の詳細な説明】
【技術分野】
【０００１】
本発明は特定量（容量）の液体を貯蔵して配分し、容器そのもので製品を使用できるようにする少量を希釈するための弁付き容器に関するものである。
【背景技術】
【０００２】
１９９２年１０月８日に発行された文献ＢＲ  ＰＩ９２０３９２９でのフラスコ型容器の構造は頑丈で、主として洗濯用柔軟剤、スターチ、消毒剤、殺菌剤、シャンプーおよび薬剤などの内容物を特定量配分するために設計されていた。計量の装置はフラスコの閉止装置で構成される。上部の蝶番付きの蓋で閉じられており、蓋が開いたままフラスコを押すと設けられた閉止装置の空洞内に液体が排出され、その容量は前記空洞を充填するために要求された液体の量に該当する。
【０００３】
液体を排出することによって圧力がなくなると排出口からフラスコに空気が入り、フラスコの元形を回復する。
【０００４】
構造は異なった内容の量の測定に関してその適用にいくらかの制約があり、閉止装置の小容量によって規定される量に限定される。かかる構造以外に製品部分の計量あるいは希釈の貯蔵空間の構造を予測しない。
【０００５】
この技術はこの特許の所有者に対して２００２年８月１日に発行された特許申請ＢＲ  ＰＩ０００２４４４ですでに知られており、液体物質を輸送して貯蔵する容器は同じ容器のチャンバーで分割または希釈される。
【０００６】
前記文献で紹介される容器構造は病院、学校および類似する施設で製造した製品の場合のように大量の製品を取扱うことを目指している。包装の使用は皮膚、衛生または個人医療製品にとっては経済的にも可能でも妥当でもない。
【０００７】
この技術は同じ容器で製品を希釈することによって製品の節約を可能にする容器としての家庭的使用を予期していない。かかる希釈は、シャンプー、洗剤、液体石けんまたは洗濯用柔軟剤の場合の用に最終利用に必要な濃度の製品に対して製造業者によって推奨される製品の節約となる。
【０００８】
既知の概念に基づいて設計された容器で後から希釈するための個人または家庭用物質の積荷は容器価格の上昇を招く。内容を希釈するためのチャンバーの単純な調製によって容器は過剰に大きくかつ高価となり、さらに最終計量分は破棄しなければならない。
【０００９】
したがって既知技術の単なる転換は経済的な製品を可能としない。
【００１０】
【特許文献１】ブラジル特許出願  ＰＩ９２０３９２９号明細書
【特許文献２】ブラジル特許出願  ＰＩ０００２４４４号明細書
【発明の開示】
【発明が解決しようとする課題】
【００１１】
本特許は前記の技術的制約を解消すること、新しい概念と技術効果をもたらす容器を達成することを目的としている。個人および家庭用製品の輸送と流通のためにできた容器に関連している。濃縮原液の容器とは別に混合およびブレンディングによって計量および希釈を可能とする分割および希釈、あるいは他の製品との混合をも目指している。
【００１２】
本発明の目的は、製品を排出する弁機構と容器内圧の均衡を保つことによって使用するばかりの希釈分のチャンバーを残りの濃縮原液の容器とできるだけ独立して維持するための空気取入れ制御を導入した装置を有する個人および家庭で使用する製品の輸送と流通のための容器を提供することである。
【課題を解決するための手段】
【００１３】
本発明は、低価格で妥当な原価で実現した斬新的かつ単純な構造を提供する個人および家庭で使用する製品の輸送と流通のための容器である。
【００１４】
本発明はまた製品を使い切ってから容器の長期利用および再利用の可能性を提供する個人および家庭で使用する製品の輸送と流通のための容器を生み出すことを意図している。よって、濃縮原液を詰替えるように設計されている。
【発明を実施するための最良の形態】
【００１５】
本発明は前記目的を達成するために個人および家庭で使用する製品の特定量の配分のためのフラスコの形状の容器を提供する。容器の上部の計量および混合チャンバーを形成する中央部に弁機構の容器構造を有する。このチャンバーは混合チャンバーの内容が弁機構の下部容器に取り付けられているが、分離できる容器の下部を形成する容器に収容されている濃縮原液との混合を防止する排出弁上に配置されている。
【００１６】
本発明にしたがって下部容器は内容物がなくなった場合に詰替または交換可能である。
【００１７】
なおかつ本発明で容器の下部容器の製品詰替は下部容器内部に挿入された包装用小袋の交換によって実施できるように設計されている。
【００１８】
本構造で濃縮原液は包装用小袋またはクッションの形で低価格で販売されている。それによって最終容器はさらに完成度を高めることによって高価になることを避け、よって製品の輸送、保管および流通を一層容易かつ原価効率を高めている。
【００１９】
図面より、フラスコ（１）は、下部容器（２）と、リング状弁付き中部セグメント（３）と、上部混合および計量チャンバー（４）との三つの独立した部分からなるとの結論に達する。
【００２０】
三つの部分（２）、（３）、（４）が結合するとシャンプー、液状石けん、洗濯用柔軟剤のような製品を家庭で取扱うための適切な寸法のフラスコ（１）を形成する。容器の最終形状および容量の変化は本特許の範囲に含まれる。
【００２１】
容器のリング状セグメント（３）には中央円形開口部（５）が設けられ、そこには、その下部に下部容器（２）の底に達する十分な長さを有するフレキシブル集合管（７）を収容し、液体および半液体が使用され、上方向に配置された液体を移送するための一方向弁（６）が備えられている。
【００２２】
リング状セグメント（３）は、上部フランジ（２７）と、液体を移送するための一方向弁（６）を収容できるだけの十分な大きさを有する内部の中央円筒形状部分（９）の上部境界である中央円形開口部（５）を含む、上面（８）とがねじ込まれる。リング状セグメントは、弁（６）が配置されている円筒形状部分（９）の下方に、下面（１１）から延び、拡がった直径を持つ円筒形状延長部分（１０）を有する。
【００２３】
この拡がった円筒形状延長部分（１０）は空気取り入れのための空気口（１２）を有する。この空気は外部環境と相互作用する一方向空気弁（１３）のあるリング状セグメント（３）の内部に水平に取り付けられた導管から入る。
【００２４】
外部からバルブ付きのリング状セグメントがねじ込まれて連結されている下部容器（２）の瓶首（２１）が、この円筒形状延長部分（１０）にねじ込まれる。
【００２５】
下部容器（２）の瓶首（２１）には、下部容器（２）とリング状セグメント（３）が連結されたときに空気口（１２）の方向に配置されなければならない小さな側面開口部（１４）がある。これは、製品の計量排出後に空気を取り入れて下部容器の内部圧力を均衡させ、圧力弾力的あるいは半弾力的材料でできた容器の壁を押圧して変形させることによって、原型に戻すためである。
【００２６】
下部容器（２）の瓶首（２１）の小さな側面開口部（１４）は下部容器（２）とリング状セグメント（３）の位置関係を容易にするために水平溝を設けることができる。
【００２７】
小さな側面開口部（１４）の位置は、円筒形状延長部分（１０）の穴と瓶首（２１）の側面開口部の芯合わせを容易にするために接続部分の下部容器本体の印を通じて示されている。
【００２８】
上部計量および混合チャンバー（４）は、液体移送用の一方向弁（６）の通路のための中央円形開口部（２６）を有する筒状胴体（１５）の壁の下端からずれた下部仕切り壁（２５）を有する筒状胴体（１５）でできている。筒状胴体の下端にはリング状セグメント（３）を接続するためのねじ付きフランジ（１６）が設けられている。
【００２９】
上部計量および混合チャンバー（４）は、上端に（図に示されていない）閉じ蓋のある排出口（１８）を有する仕切り壁（１７）を有する。
【００３０】
概略図に示される排出口（１８）は瓶首として例えば液状石けんの供給ポンプ、シャンプー用関節ノズル、洗濯用柔軟剤用ねじ付き蓋など、最終用途に適したその他の形状を有することができる。
【００３１】
チャンバー（４）はある程度の透明度を有し、濃縮原液容量の量を示す一つまたはそれ以上の外部（計量）目盛り線（２２）を有する。
【００３２】
図１、２および３に示される構造で内容物は一式容器（１）または詰替可能な下部容器（２）に該当する容器として販売される。
【００３３】
図４、５および６の構造によれば、製品がなくなった場合に濃縮原液は包装用小袋（１９）またはクッションによって交換可能であることを示している。この場合、フレキシブル集合管（７）の代わりに剛性材料からなる集合管（２０）が採用されることが予期されている。下部容器にリング状セグメント（３）が接続される場合は包装用小袋に穴があけられ、下部容器が圧縮されると計量および混合チャンバーの一方向弁（６）を通じて剛性材料からなる集合管（２０）を通じて濃縮原液が押し出される。
【００３４】
この概念で、下部容器（２）は、その下端にねじ付き延長部分（２４）を有する弁付きリング状セグメント（３）にねじ込むために、上端にねじ付き延長部分（２３）を有し、包装用小袋（１９）を保持するカップ状を示している。
【００３５】
カップ形状の下部容器（２）内に包装用小袋（１９）を挿入後、穴をあける剛性材料からなる集合管（２０）を包装用小袋（１９）の中央に取り付けて下部容器（２）はリング状セグメント（３）にねじ込む。
【００３６】
内部圧力は環境によって内部圧力が決まる下部容器に接続される空気弁（１３）から吸い込まれる空気によって均衡が保たれる。
【００３７】
下部容器（２）の壁面の圧力で空気弁（１３）が閉じられて圧力は集合管（７）、（２０）に吸い込まれる液に伝わり、一方向液体用弁（６）を通じて計量および混合（４）または希釈チャンバーに移送される。
【００３８】
濃縮原液の量がチャンバー（４）に充満すると壁の圧力が解放されて一方向空気弁は下部容器（２）への空気吸い込みを可能とする。
【００３９】
上部チャンバー（４）にある濃縮原液は、それを使い切って新たな計量および希釈が実施されるまで、そこで希釈されて使用される。
【図面の簡単な説明】
【００４０】
【図１】本発明によってできた容器の分解断面図である。
【図２】本発明によってできた容器から識別される下部容器を含む断面図である。
【図３】本発明によってできた容器の断面図である。
【図４】本発明によってできた容器の詰替入り分解断面図である。
【図５】本発明によってできた容器から識別される下部容器を含む詰替入り断面図である。
【図６】本発明によってできた容器の詰替入り断面図である。
【図１】
2007536171.tif 000003
【図２】
2007536171.tif 000004
【図３】
2007536171.tif 000005
【図４】
2007536171.tif 000006
【図５】
2007536171.tif 000007
【図６】
2007536171.tif 000008
【国際調査報告】
2007536171.tif 000009
2007536171.tif 000010